(57)【要約】  エレベータのホールランタンは、フレームと、フレームに設けられている発光部と、発光部からの光を透過するカバーとを有している。カバーは、第１の表示板と、第１の表示板とは別部材である第２の表示板とを有している。第１の表示板と第２の表示板とは、カバーの乗場壁とは反対側の端部であるカバー先端部で互いに鋭角をなすようにＶ字形に配置されている。
2019106786.tif 000002
【特許請求の範囲】
【請求項１】
乗場壁に取り付けられるフレームと、
前記フレームに設けられている発光部と、
前記フレームに固定されており、かつ前記発光部を覆っており、前記発光部からの光を透過するカバーと
を有しているランタン本体
を備え、
前記カバーは、第１の表示板と、前記第１の表示板とは別部材である第２の表示板とを有しており、
前記第１の表示板と前記第２の表示板とは、前記カバーの前記乗場壁とは反対側の端部であるカバー先端部で互いに鋭角をなすようにＶ字形に配置されているエレベータのホールランタン。
【請求項２】
前記発光部は、前記カバー先端部の内側に配置されている先端発光ユニットを有しており、
前記ランタン本体は、
前記カバー先端部の内側に、上下方向に沿って連続して配置されており、前記先端発光ユニットからの光を拡散する拡散シート
をさらに有しており、
前記拡散シートは、前記カバー先端部の内面に沿う断面Ｖ字形のシート本体を有している請求項１記載のエレベータのホールランタン。
【請求項３】
前記拡散シートは、折り曲げ可能な合成紙により構成されている請求項２記載のエレベータのホールランタン。
【請求項４】
前記先端発光ユニットは、
前記カバー先端部の内側に、上下方向に沿って連続して配置されている先端取付板と、
前記先端取付板に取り付けられている先端発光器と
を有しており、
前記先端発光ユニットは、前記カバー先端部の上端から外部へ引き抜き可能になっている請求項２又は請求項３に記載のエレベータのホールランタン。
【請求項５】
前記先端取付板の上端部には、水平な取付板共締め部が設けられており、
前記シート本体の上端部には、水平なシート共締め部が設けられており、
前記取付板共締め部と前記シート共締め部とは、互いに重ねられて前記フレームに共締め固定されている請求項４記載のエレベータのホールランタン。
【請求項６】
前記先端発光ユニットは、かごの移動方向が上方向であることを利用者に知らせる上方向表示部と、前記かごの移動方向が下方向であることを利用者に知らせる下方向表示部とを含み、
前記カバー先端部は、前記上方向表示部に対向する部分と、前記下方向表示部に対向する部分と、上下方向の中間部とが同様に構成されている境界レス構造である請求項４又は請求項５に記載のエレベータのホールランタン。
【請求項７】
前記発光部は、
前記先端発光ユニットよりも前記乗場壁側で、前記第１の表示板の隣に配置されている第１の後部発光器と、
前記先端発光ユニットよりも前記乗場壁側で、前記第２の表示板の隣に配置されている第２の後部発光器と
をさらに有しており、
前記第１の後部発光器の光軸の延長線は、前記第２の表示板を通っており、第２の後部発光器の光軸の延長線は、前記第１の表示板を通っている請求項２から請求項６までのいずれか１項に記載のエレベータのホールランタン。
【請求項８】
前記乗場壁に固定され、前記ランタン本体が取り付けられる壁固定部材
をさらに備え、
前記ランタン本体は、
前記フレームの前記壁固定部材に対向する部分に設けられており、前記発光部を制御する主制御基板
をさらに有しており、
前記主制御基板は、前記ランタン本体を前記壁固定部材から取り外すことにより、前記ランタン本体の外部に露出する請求項１から請求項７までのいずれか１項に記載のエレベータのホールランタン。
【請求項９】
前記壁固定部材の上部には、エレベータ制御装置に接続されている主配線の乗場側の端部を引っ掛ける引っ掛け部が設けられている請求項８記載のエレベータのホールランタン。
【請求項１０】
前記ランタン本体は、前記フレームの下部に固定されている底板をさらに有しており、
前記底板の上面には、一対の底板固定スタッドボルトと、取付金具とが固定されており、
前記取付金具は、前記一対の底板固定スタッドボルトよりも前記カバー先端部側に配置されており、かつ、前記底板から上方へ突出した平板状の突出部を有しており、
前記フレームの下部には、前記一対の底板固定スタッドボルトが通されている一対の底板固定孔と、前記突出部に重ねられている平板状の接合部とが設けられており、
前記底板は、前記突出部と前記接合部とを前記カバー先端部とは反対側からねじ止めするとともに、前記底板固定スタッドボルトに底板固定ナットを締め込むことにより前記フレームに固定されている請求項１から請求項９までのいずれか１項に記載のエレベータのホールランタン。
【請求項１１】
前記ランタン本体は、前記底板の上面に下向きに固定されているスピーカをさらに有している請求項１０記載のエレベータのホールランタン。
【発明の詳細な説明】
【技術分野】
【０００１】
この発明は、乗場に設置され、利用者にかごの到着を知らせるエレベータのホールランタンに関するものである。
【背景技術】
【０００２】
従来のエレベータのホールランタンでは、基台とカバー部材との間にフィルム状の面発光素子が介在している。カバー部材は、光透過性を有するアクリル板をＶ字形に折り曲げて形成されている（例えば、特許文献１参照）。
【先行技術文献】
【特許文献】
【０００３】
【特許文献１】特開２０１５−９９０６号公報
【発明の概要】
【発明が解決しようとする課題】
【０００４】
上記のような従来のエレベータのホールランタンでは、アクリル板をＶ字形に折り曲げてカバー部材を形成しているので、折り曲げ部に亀裂が生じ易い。このため、曲げ部の意匠性が低下する。また、折り曲げ角度を鈍角にすると、横方向からの視認性が低下する。【０００５】
この発明は、上記のような課題を解決するためになされたものであり、十分な視認性を確保しつつ、意匠性の低下を抑制することができるエレベータのホールランタンを得ることを目的とする。
【課題を解決するための手段】
【０００６】
この発明に係るエレベータのホールランタンは、乗場壁に取り付けられるフレームと、フレームに設けられている発光部と、フレームに固定されており、かつ発光部を覆っており、発光部からの光を透過するカバーとを有しているランタン本体を備え、カバーは、第１の表示板と、第１の表示板とは別部材である第２の表示板とを有しており、第１の表示板と第２の表示板とは、カバーの乗場壁とは反対側の端部であるカバー先端部で互いに鋭角をなすようにＶ字形に配置されている。
【発明の効果】
【０００７】
この発明のエレベータのホールランタンでは、互いに別部材である第１及び第２の表示板が用いられている。また、第１の表示板と第２の表示板とは、カバー先端部で互いに鋭角をなすようにＶ字形に配置されている。このため、十分な視認性を確保しつつ、意匠性の低下を抑制することができる。
【図面の簡単な説明】
【０００８】
【図１】この発明の実施の形態１によるエレベータを示す概略の構成図である。
【図２】図１のエレベータの乗場の一部を示す正面図である。
【図３】図２のホールランタンを拡大して示す側面図である。
【図４】図３のホールランタンを斜め上方から見た斜視図である。
【図５】図３のＶ−Ｖ線に沿う断面図である。
【図６】図５の先端発光ユニットを示す側面図である。
【図７】図４のランタン本体から上板を取り除いて拡散シートを途中まで引き上げた状態を示す斜視図である。
【図８】図４のランタン本体から、上板を取り除き、壁固定部材を切り離した状態を示す斜視図である。
【図９】図４のホールランタンを倒して底面を見せた状態を示す斜視図である。
【図１０】図４のランタン本体の一部を分解して示す斜視図である。
【図１１】図１０の底板を取り除いた状態のランタン本体を斜め下方から見た斜視図である。
【発明を実施するための形態】
【０００９】
以下、この発明を実施するための形態について、図面を参照して説明する。
実施の形態１．
図１はこの発明の実施の形態１によるエレベータを示す概略の構成図である。図において、昇降路１の上部には、機械室２が設けられている。機械室２には、巻上機３、そらせ車４、及びエレベータ制御装置５が設置されている。
【００１０】
巻上機３は、駆動シーブ６、巻上機モータ（図示せず）、及び巻上機ブレーキ（図示せず）を有している。巻上機モータは、駆動シーブ６を回転させる。巻上機ブレーキは、駆動シーブ６の回転を制動する。
【００１１】
駆動シーブ６及びそらせ車４には、懸架体７が巻き掛けられている。懸架体７としては、複数本のロープ又は複数本のベルトが用いられている。懸架体７の第１の端部には、かご８が接続されている。懸架体７の第２の端部には、釣合おもり９が接続されている。
【００１２】
かご８及び釣合おもり９は、懸架体７により昇降路１内に吊り下げられている。また、かご８及び釣合おもり９は、駆動シーブ６を回転させることにより、昇降路１内を昇降する。エレベータ制御装置５は、巻上機３を制御することにより、かご８の運行を制御する。
【００１３】
かご８は、懸架体７が接続されたかご枠１０と、かご枠１０に支持されたかご室１１とを有している。かご室１１の前面には、一対のかごドア１２が設けられている。かご８上には、かごドア１２の開閉動作を制御するドアコントローラ１３が設けられている。
【００１４】
複数階の乗場には、一対の乗場ドア１４がそれぞれ設けられている。乗場ドア１４は、かご８の着床時に、かごドア１２に連動して開閉動作する。
【００１５】
図１では１台のエレベータのみを示したが、実施の形態１では、同一のビルに設置された２台以上のエレベータによりエレベータシステムが構成されている。また、実施の形態１では、エレベータ行先予報システム（ＤＯＡＳ：Ｄｅｓｔｉｎａｔｉｏｎ Ｏｒｉｅｎｔｅｄ Ａｌｌｏｃａｔｉｏｎ Ｓｙｓｔｅｍ）が適用されている。エレベータ行先予報システムでは、利用者が乗場操作盤に行先階の番号を入力するか、又は認証カードをタッチすることで、事前にエレベータの号機の割り当てが行われる。
【００１６】
図２は、図１のエレベータの乗場の一部を示す正面図である。図２では乗場出入口１５を１つのみ示すが、乗場には、複数の乗場出入口１５が設けられている。各乗場出入口１５は、対応する一対の乗場ドア１４により開閉される。
【００１７】
図２ではホールランタン２１を１つのみ示すが、乗場壁１６には、複数のホールランタン２１が設置されている。各ホールランタン２１は、対応する乗場出入口１５の斜め上方に配置されている。また、各ホールランタン２１の下端は、対応する乗場出入口１５の上端と同じ高さかそれよりも高い位置に設けられている。
【００１８】
また、各ホールランタン２１は、対応するエレベータの号機を表示している。利用者は、事前に割り当てられた号機の乗場出入口１５の近傍でかご８の到着を待つことができる。例えば、乗場操作盤でＦ号機のエレベータを割り当てられた利用者は、「Ｆ」の表示のホールランタン２１がある乗場出入口１５の近傍でかご８の到着を待つことができる。また、各ホールランタン２１は、対応するエレベータのかご８の到着と、かご８の移動方向とを表示する。
【００１９】
図３は、図２のホールランタン２１を拡大して示す側面図、図４は、図３のホールランタン２１を斜め上方から見た斜視図である。ホールランタン２１は、壁固定部材２２及びランタン本体２３を有している。壁固定部材２２は、乗場壁１６に固定される。ランタン本体２３は、壁固定部材２２に取り付けられている。
【００２０】
ランタン本体２３の側面には、カバー２４が設けられている。カバー２４は、第１の表示板２５と、第１の表示板２５とは別部材である第２の表示板２６とを有している。第１の表示板２５と第２の表示板２６とは、カバー２４の乗場壁１６とは反対側の端部であるカバー先端部２４ａで互いに鋭角をなすようにＶ字形に配置されている。
【００２１】
第１及び第２の表示板２５，２６は、同一サイズの矩形の平板である。これにより、第１及び第２の表示板２５，２６の間には、真上から見て、頂角が鋭角の二等辺三角形が形成されている。
【００２２】
また、第１及び第２の表示板２５，２６の材料としては、例えばポリカーボネートが用いられている。また、第１及び第２の表示板２５，２６には、それぞれ号機名が付されている。
【００２３】
第１の表示板２５と第２の表示板２６との間の空間の上部は、上板２７により塞がれている。上板２７は、二等辺三角形の平板である。
【００２４】
図５は、図３のＶ−Ｖ線に沿う断面図である。カバー２４は、フレーム２８に固定されている。カバー２４は、壁固定部材２２を介して乗場壁１６に取り付けられる。フレーム２８には、発光部２９及び主制御基板３０が設けられている。カバー２４は、発光部２９を覆っており、発光部２９からの光を透過する。
【００２５】
主制御基板３０は、フレーム２８の壁固定部材２２に対向する部分に設けられている。また、主制御基板３０には、発光部２９を制御する制御回路が設けられている。また、主制御基板３０は、ランタン本体２３を壁固定部材２２から取り外すことにより、ランタン本体２３の外部に露出する。
【００２６】
発光部２９は、先端発光ユニット３１と、複数の第１の後部発光器３２と、複数の第２の後部発光器３３とを有している。先端発光ユニット３１は、カバー先端部２４ａの内側に配置されている。
【００２７】
第１の後部発光器３２は、先端発光ユニット３１よりも乗場壁１６側で、第１の表示板２５の隣に配置されている。また、第１の後部発光器３２は、ランタン本体２３の幅方向の中心線Ｃ０よりも第１の表示板２５側に配置されている。
【００２８】
第２の後部発光器３３は、先端発光ユニット３１よりも乗場壁１６側で、第２の表示板２６の隣に配置されている。また、第２の後部発光器３３は、ランタン本体２３の幅方向の中心線Ｃ０よりも第２の表示板２６側に配置されている。
【００２９】
各第１の後部発光器３２の光軸の延長線Ｃ１は、第２の表示板２６を通っている。各第２の後部発光器３３の光軸の延長線Ｃ２は、第１の表示板２５を通っている。
【００３０】
一例として、主制御基板３０の制御回路は、かご８が乗場に到着する直前から戸閉するまでの間、第１の後部発光器３２及び第２の後部発光器３３を同時に点灯させる。
【００３１】
図６は、図５の先端発光ユニット３１を示す側面図である。先端発光ユニット３１は、先端取付板３４と、第１の先端発光器３５と、第２の先端発光器３６とを有している。
【００３２】
先端取付板３４は、取付板本体３４ａと、取付板共締め部３４ｂとを有している。取付板本体３４ａは、カバー先端部２４ａの内側に、上下方向に沿って連続して配置されている。
【００３３】
第１の先端発光器３５は、先端取付板３４の上下方向の中間よりも上側に取り付けられている。第２の先端発光器３６は、先端取付板３４の上下方向の中間よりも下側に取り付けられている。
【００３４】
第１の先端発光器３５は、かご８の移動方向が上方向であることを利用者に知らせる上方向表示部である。第２の先端発光器３６は、かご８の移動方向が下方向であることを利用者に知らせる下方向表示部である。
【００３５】
一例として、主制御基板３０の制御回路は、かご８が乗場に到着する直前から戸閉するまでの間、第１の先端発光器３５又は第２の先端発光器３６を点滅させる。
【００３６】
カバー先端部２４ａは、上方向の発光領域と下方向の発光領域との間に境界を持たない境界レス構造である。即ち、カバー先端部２４ａは、上下方向全体に渡って一様に構成されている。従って、カバー先端部２４ａにおいて、第１の先端発光器３５に対向する部分と、第２の先端発光器３６に対向する部分と、上下方向の中間部とは、同様に構成されており、材料、厚さ及び色が同様である。
【００３７】
第１の先端発光器３５には、第１の先端配線３８が接続されている。第１の先端配線３８は、先端発光ユニット３１の上端から引き出されている。第２の先端発光器３６には、第２の先端配線３９が接続されている。第２の先端配線３９は、先端取付板３４と第１の先端発光器３５との間を通されて、先端発光ユニット３１の上端から引き出されている。
【００３８】
第１及び第２の先端配線３８，３９の第１及び第２の先端発光器３５，３６とは反対側の端部は、先端コネクタ４０に接続されている。図示しないが、主制御基板３０の上部からは、先端コネクタ４０に接続される発光制御配線が引き出されている。
【００３９】
先端コネクタ４０から発光制御配線を切り離した状態で、先端発光ユニット３１は、カバー先端部２４ａの上端からカバー先端部２４ａ内に挿入可能である。また、先端コネクタ４０から発光制御配線を切り離した状態で、先端発光ユニット３１は、カバー先端部２４ａの上端から外部へ引き抜き可能である。
【００４０】
図５において、カバー先端部２４ａの内側には、拡散シート４１が配置されている。拡散シート４１は、上下方向に沿って連続して配置されている。また、拡散シート４１は、先端発光ユニット３１からの光を拡散する。
【００４１】
図７は、図４のランタン本体２３から上板２７を取り除いて拡散シート４１を途中まで引き上げた状態を示す斜視図である。拡散シート４１は、シート本体４１ａと、シート共締め部４１ｂとを有している。シート本体４１ａの断面形状は、カバー先端部２４ａの内面に沿うＶ字形である。
【００４２】
シート共締め部４１ｂは、拡散シート４１の上端部に設けられている。また、シート共締め部４１ｂは、シート本体４１ａの上端部から乗場壁１６側へ水平に突出している。
【００４３】
拡散シート４１は、例えばポリエステルを主材料とする折り曲げ可能な合成紙により構成されている。シート本体４１ａ及びシート共締め部４１ｂは、合成紙を折り曲げ加工することにより形成することができる。
【００４４】
図８は、図４のランタン本体２３から、上板２７を取り除き、壁固定部材２２を切り離した状態を示す分解斜視図である。取付板共締め部３４ｂとシート共締め部４１ｂとは、互いに重ねられて、ユニット固定ねじ４２によりフレーム２８に共締め固定されている。
【００４５】
シート共締め部４１ｂは、取付板共締め部３４ｂの上に重ねられている。シート共締め部４１ｂ及び取付板共締め部３４ｂには、それぞれユニット固定ねじ４２が通される丸孔が設けられている。
【００４６】
ランタン本体２３の組立時には、拡散シート４１は、先端発光ユニット３１と一体的にカバー先端部２４ａ内に挿入可能となっている。カバー先端部２４ａの底部には、先端発光ユニット３１の水平方向の位置決めを行う位置決め部が設けられている。先端発光ユニット３１の上端部は、ユニット固定ねじ４２により位置決めされる。
【００４７】
先端発光ユニット３１の保守時には、ユニット固定ねじ４２を取り外すことにより、拡散シート４１をカバー先端部２４ａ内に残したまま、先端発光ユニット３１のみをカバー先端部２４ａから引き抜くことが可能である。
【００４８】
乗場壁１６からは、エレベータ制御装置５に接続されている主配線４３が引き出されている。壁固定部材２２には、主配線４３を通す開口２２ａが設けられている。
【００４９】
また、壁固定部材２２の上部には、凹部である引っ掛け部２２ｂが設けられている。引っ掛け部２２ｂには、壁固定部材２２へのランタン本体２３の取付時に、主配線４３の乗場側の端部が引っ掛けられる。
【００５０】
図９は、図４のホールランタン２１を倒して底面を見せた状態を示す斜視図、図１０は、図４のランタン本体２３の一部を分解して示す斜視図である。第１の表示板２５と第２の表示板２６との間の空間の下部は、底板４４により塞がれている。底板４４は、上板２７と同じ二等辺三角形の平板である。
【００５１】
底板４４の上面には、スピーカ４５が下向きに固定されている。底板４４のスピーカ４５に対向する部分には、スピーカ４５からの音を通す複数の孔が設けられている。
【００５２】
スピーカ４５からは、対応するかご８の到着を利用者に知らせる音、例えばチャイム音又はアナウンスが流される。また、スピーカ４５は、主制御基板３０の制御回路により制御される。
【００５３】
また、底板４４の上面には、複数のスピーカ固定スタッドボルト４６が固定されている。スピーカ４５は、各スピーカ固定スタッドボルト４６にスピーカ固定ナット４７を締め込むことにより、底板４４に固定されている。
【００５４】
また、底板４４の上面には、Ｌ字形の取付金具４８が固定されている。取付金具４８は、底板４４の二等辺三角形の底辺よりも頂点に近い位置に配置されている。
【００５５】
また、取付金具４８は、平板状の固定部４８ａと、平板状の突出部４８ｂとを有している。固定部４８ａは、底板４４の上面に重ねられて底板４４に固定されている。
【００５６】
また、底板４４の上面には、２本の金具固定スタッドボルト４９が固定されている。各金具固定スタッドボルト４９は、固定部４８ａを貫通している。取付金具４８は、金具固定スタッドボルト４９に金具固定ナット５０を締め込むことにより、底板４４に固定されている。
【００５７】
突出部４８ｂは、底板４４から上方へ直角に突出している。突出部４８ｂには、Ｕ字形の溝４８ｃが設けられている。
【００５８】
また、底板４４の上面には、一対の底板固定スタッドボルト５１が固定されている。一対の底板固定スタッドボルト５１は、底板４４の二等辺三角形の底辺近傍に、左右対称に配置されている。このため、取付金具４８は、一対の底板固定スタッドボルト５１よりもカバー先端部２４ａ側に配置されている。
【００５９】
図１０では、各底板固定スタッドボルト５１に底板固定ナット５２が締め込まれた状態が示されている。しかし、実際には、底板固定ナット５２は、ランタン本体２３に底板４４を組み合わせた状態で底板固定スタッドボルト５１に締め込まれる。
【００６０】
図１１は、図１０の底板４４を取り除いた状態のランタン本体２３を斜め下方から見た斜視図である。フレーム２８の下部には、平板状の接合部５３が設けられている。接合部５３には、底板固定ねじ５４がねじ込まれている。
【００６１】
また、フレーム２８の下部には、一対の底板固定孔５５が設けられている。各底板固定孔５５には、対応する底板固定スタッドボルト５１が通される。
【００６２】
底板４４をフレーム２８に固定する際には、溝４８ｃに底板固定ねじ５４を通して、底板固定ねじ５４を締め込む。また、各底板固定スタッドボルト５１を対応する底板固定孔５５に通して、底板固定ナット５２を締め込む。
【００６３】
このとき、底板固定ねじ５４は、ランタン本体２３のカバー先端部２４ａとは反対側の端部からドライバ等の工具を挿入することにより、操作可能となっている。同様に、底板固定ナット５２についても、ランタン本体２３のカバー先端部２４ａとは反対側の端部から操作可能である。
【００６４】
このように、底板４４は、突出部４８ｂと接合部５３とをカバー先端部２４ａとは反対側からねじ止めするとともに、底板固定スタッドボルト５１に底板固定ナット５２を締め込むことにより、フレーム２８に固定されている。また、底板４４の取り外しは、上記の逆の手順で行うことができる。
【００６５】
また、各底板固定孔５５は、長孔である。これにより、底板固定ねじ５４の締め込みによる底板４４のカバー先端部２４ａ側への移動を吸収することができる。
【００６６】
実施の形態１のランタン本体２３は、カバー２４、上板２７、フレーム２８、発光部２９、主制御基板３０、拡散シート４１、底板４４、スピーカ４５、及び取付金具４８を有している。
【００６７】
このようなホールランタン２１では、互いに別部材である第１及び第２の表示板２５，２６が用いられている。また、第１の表示板２５と第２の表示板２６とは、カバー先端部２４ａで互いに鋭角をなすようにＶ字形に配置されている。このため、カバー２４の先端に亀裂を生じさせずに、カバー２４を鋭角に形成することができる。従って、横方向からの十分な視認性を確保しつつ、意匠性の低下を抑制することができる。特に、号機表示を行うエレベータでは、横方向からの視認性は重要である。
【００６８】
また、断面Ｖ字形のシート本体４１ａを有する拡散シート４１をカバー先端部２４ａの内側に配置しているので、簡単な構成により、先端発光ユニット３１からの光を拡散することができる。
【００６９】
また、第１及び第２の表示板２５，２６を互いに別部材で構成した場合でも、先端発光ユニット３１からの光がカバー先端部２４ａから直接漏れるのを防止することができる。また、カバー先端部２４ａからカバー２４内に埃が浸入することを防止することができる。
【００７０】
また、拡散シート４１が折り曲げ可能な合成紙により構成されているので、拡散シート４１の製造、及び拡散シート４１のカバー先端部２４ａ内への配置を容易にすることができる。
【００７１】
また、先端発光ユニット３１は、カバー先端部２４ａの上端から外部へ引き抜き可能になっている。このため、先端発光ユニット３１に対する保守作業を容易に行うことができる。
【００７２】
また、先端発光ユニット３１は、カバー先端部２４ａの上端からカバー先端部２４ａの内側に挿入可能になっている。このため、先端発光ユニット３１の取付作業を容易に行うことができる。
【００７３】
また、取付板共締め部３４ｂとシート共締め部４１ｂとは、互いに重ねられてフレーム２８に共締め固定されている。このため、簡単な構成により、拡散シート４１及び先端発光ユニット３１を固定することができ、両者の位置関係を安定して維持することができる。
【００７４】
また、カバー先端部２４ａが、上下方向全体に渡って一様に構成された境界レス構造であるため、意匠性を向上させることができる。また、拡散シート４１も境界レス構造であるため、意匠性をさらに向上させることができる。
【００７５】
また、各第１の後部発光器３２の光軸の延長線Ｃ１は、第２の表示板２６を通っている。また、各第２の後部発光器３３の光軸の延長線Ｃ２は、第１の表示板２５を通っている。これにより、カバー２４内の狭い空間に多くの第１及び第２の後部発光器３２，３３を収容しつつ、第１及び第２の表示板２５，２６を均等に明るく照らすことができる。
【００７６】
また、主制御基板３０は、フレーム２８の壁固定部材２２に対向する部分に設けられている。そして、主制御基板３０は、ランタン本体２３を壁固定部材２２から取り外すことにより、ランタン本体２３の外部に露出する。このため、主制御基板３０に対する保守作業を容易に行うことができる。
【００７７】
また、ランタン本体２３を壁固定部材２２に取り付ける際には、ランタン本体２３の固定作業と配線作業との両方を行う必要がある。これに対して、壁固定部材２２の上部に引っ掛け部２２ｂが設けられているので、主配線４３を引っ掛け部２２ｂに仮固定して、ランタン本体２３の固定作業を両手で行うことができ、作業性を向上させることができる。
【００７８】
また、底板４４は、突出部４８ｂと接合部５３とをカバー先端部２４ａとは反対側からねじ止めするとともに、底板固定スタッドボルト５１に底板固定ナット５２を締め込むことにより、フレーム２８に固定されている。このため、底板４４の下面にねじ等が露出することがなく、意匠性を向上させることができる。
【００７９】
また、底板４４の上面にスピーカ４５が下向きに固定されているので、ランタン本体２３内にスピーカ４５を効率的に配置しつつ、利用者へのサービス性を向上させることができる。
【００８０】
なお、発光部２９の点灯及び点滅の制御方法は、上記の例に限定されるものではない。
【００８１】
また、スピーカ４５は必ずしも用いなくてもよい。
【００８２】
また、かご８の方向を表示する部分、及び号機名を表示する部分のいずれかが無くてもよい。
【００８３】
また、突出部側に底板固定ねじを設け、接合部側に逆Ｕ字形の溝を設けてもよい。
【００８４】
また、実施の形態１では、ホールランタン２１をエレベータ行先予報システムの号機表示に適用したが、この発明は、エレベータ行先予報システムを適用しないエレベータにも適用できる。
【００８５】
また、エレベータ装置全体のレイアウトは、図１のレイアウトに限定されるものではない。
【００８６】
また、この発明は、種々のタイプのエレベータ、例えば、機械室を有するエレベータ、ダブルデッキエレベータ、ワンシャフトマルチカー方式のエレベータにも適用できる。ワンシャフトマルチカー方式は、上かごと、上かごの真下に配置された下かごとが、それぞれ独立して共通の昇降路を昇降する方式である。
【符号の説明】
【００８７】
８  かご、１６  乗場壁、２１  ホールランタン、２２  壁固定部材、２２ｂ  引っ掛け部、２３  ランタン本体、２４  カバー、２４ａ  カバー先端部、２５  第１の表示板、２６  第２の表示板、２８  フレーム、２９  発光部、３０  主制御基板、３１  先端発光ユニット、３２  第１の後部発光器、３３  第２の後部発光器、３４  先端取付板、３４ｂ  取付板共締め部、３５  第１の先端発光器（上方向表示部）、３６  第２の先端発光器（下方向表示部）、４１  拡散シート、４１ａ  シート本体、４１ｂ  シート共締め部、４３  主配線、４４  底板、４５  スピーカ、４８  取付金具、４８ｂ  突出部、５１  底板固定スタッドボルト、５２  底板固定ナット、５３  接合部、５５  底板固定孔。
【図１】
2019106786.tif 000003
【図２】
2019106786.tif 000004
【図３】
2019106786.tif 000005
【図４】
2019106786.tif 000006
【図５】
2019106786.tif 000007
【図６】
2019106786.tif 000008
【図７】
2019106786.tif 000009
【図８】
2019106786.tif 000010
【図９】
2019106786.tif 000011
【図１０】
2019106786.tif 000012
【図１１】
2019106786.tif 000013
【国際調査報告】
2019106786.tif 000014
2019106786.tif 000015
2019106786.tif 000016
2019106786.tif 000017